(57)【特許請求の範囲】
【請求項１】
浴室内の空気を吸い込んで浴室内に循環させる循環用ファンと、熱源機から供給される暖房温水により浴室から吸い込んだ空気を加熱して温風を発生させる暖房用熱交換器と、浴室内にミストサウナ用の水を噴霧するミストノズルと、給水手段からの水をミストノズルに供給するミスト用給水管路と、熱源機から供給される暖房温水により給水手段からの水を加熱するミスト用熱交換器とを備え、暖房用熱交換器とミスト用熱交換器を暖房温水により加熱して温風と温水ミストを同時に浴室内に供給する温水ミスト運転と、暖房用熱交換器とミスト用熱交換器の加熱を共に停止して涼風と水ミストを同時に浴室内に供給する水ミスト運転とを選択できるようにしたミストサウナ機能付き浴室暖房乾燥機であって、前記ミスト用給水管路の途中から分岐してミスト用給水管路内に供給される水の一部を暖房用熱交換器の外面に向かって噴霧するためのミスト噴霧口と、このミスト噴霧口を開閉する分岐開閉弁とを備え、前記水ミスト運転時に前記循環用ファンを回すと共に分岐開閉弁を開いてミスト噴霧口から暖房用熱交換器への水ミスト噴霧とミストノズルから浴室内への水ミスト噴霧とを同時に行うことを特徴とするミストサウナ機能付き浴室暖房乾燥機。
【請求項２】
前記ミスト噴霧口は、ミスト用熱交換器とミストノズルとの間のミスト用給水管路から分岐したミスト分岐管に設けられていることを特徴とする請求項１記載のミストサウナ機能付き浴室暖房乾燥機。
【請求項３】
前記水ミスト運転時に、浴室からの空気の吸い込み温度を監視して、吸い込み温度が所定温度よりも高い場合は分岐開閉弁を開き、所定温度よりも低い場合は分岐開閉弁を閉鎖するように分岐開閉弁を制御する制御部を備えることを特徴とする請求項1又は請求項２記載のミストサウナ機能付き浴室暖房乾燥機。
【発明の詳細な説明】
【技術分野】
【０００１】
本発明は、ミストサウナ機能付き浴室暖房乾燥機に関し、詳しくは浴室内に温水ミストを噴霧させる温水ミスト運転と水ミストを噴霧させる水ミスト運転とを選択して実行することができるミストサウナ機能付き浴室暖房乾燥機に関するものである。
【背景技術】
【０００２】
従来から、給湯器に接続される給湯経路から供給される湯をミストノズルから浴室内にミスト状に噴霧するミストサウナ装置が知られているが、この装置では入浴者がサウナ使用後に火照った身体を迅速に冷却することができないということが指摘されている。
【０００３】
そこで、水道水を直接、ミストノズルからミスト状に噴霧しながら、循環用ファンを回すことで、涼風と水ミストの噴霧とによって、温水ミストサウナ後のクールダウン効果や、涼風による快適感アップ効果が得られるミストサウナシステムが提案されている（例えば特許文献１参照）。
【０００４】
上記特許文献１の概略を図５に示す。図５において、浴室暖房乾燥機１´は、浴室２内にミストサウナ用の水を噴霧するミストノズル６と、給水手段からの水をミストノズル６に供給するミスト用給水管路７と、ミストノズル６に供給される水を加熱するミスト用熱交換器８と、浴室２内の空気を吸い込んで浴室２内に循環させる循環用ファン３と、循環用ファン３で吸い込んだ空気を熱源機から供給される暖房温水により加熱して温風を生成する暖房用熱交換器５とを備えている。そして、暖房用熱交換器５とミスト用熱交換器８を暖房温水により加熱して温風と温水ミストとを同時に浴室２内に供給する温水ミスト運転と、暖房用熱交換器５とミスト用熱交換器８の加熱を共に停止して涼風と水ミストとを同時に浴室２内に供給する水ミスト運転とを選択できるようにしている。
【０００５】
ところが、この従来例では、ミストサウナ用の温水又は水の供給経路が同一の経路（ミスト用給水管路７、ミスト用熱交換器８）であるため、温水ミスト運転終了後に水ミスト運転を開始する場合、経路内部の残熱によって通過する水道水が暖められてしまい、そのため浴室２内へ噴霧されるミスト温度がしばらく高い状態で維持され、水道水の温度に下がるまで時間がかかるという問題がある。
【０００６】
またミスト温度が水道水の温度まで下がった場合でも、温水ミスト運転終了直後は浴室２内には暖かい空気が残っているため、暖かい空気によって水道水が暖められてしまい、暖かく感じてしまうという問題がある。そのうえ、温水ミスト運転終了後は暖房用熱交換器５内部には暖房温水が残っているため、循環用ファン３を回すと暖房用熱交換器５で暖められた空気が吹き出し、浴室２内に暖かい風が送られる時間が長くなるという問題もある。
【０００７】
他の従来例として、浴室の空気を外部に排気する換気ファンと排気ダクトとを設け、換気ファンを回して浴室内に残留する暖かい空気を排気ダクトから屋外に排出するようにしたミストサウナシステムがある（例えば、特許文献２参照）。
【０００８】
この他の従来例では、換気ファンを回して浴室内の暖かい空気を排出するので、特許文献１の従来例の暖かい空気によって水道水が暖められてしまうという問題を解決できる。しかし、天井設置形の場合はダクトの内部で結露が発生しやすい。とくに長時間の換気運転では結露の量が多くなり、滞留した結露水が天井裏に滴下して天井部分を濡らしやすくなるなど、住宅の清潔さや耐久性等の面で好ましくないという問題がある。
【先行技術文献】
【特許文献】
【０００９】
【特許文献１】特開平７−２０４２４８号公報
【特許文献２】特開２００５−２４１２２４号公報
【発明の概要】
【発明が解決しようとする課題】
【００１０】
本発明は上記の事情に鑑みてなされたものであって、その目的とするところは、温水ミスト運転後の水ミスト運転であっても、浴室内の温度を迅速に低下させることができるミストサウナ機能付き浴室暖房乾燥機を提供するものである。
【課題を解決するための手段】
【００１１】
前記の課題を解決するために、浴室２内の空気を吸い込んで浴室２内に循環させる循環用ファン３と、熱源機４から供給される暖房温水により浴室２から吸い込んだ空気を加熱して温風を発生させる暖房用熱交換器５と、浴室２内にミストサウナ用の水を噴霧するミストノズル６と、給水手段からの水をミストノズル６に供給するミスト用給水管路７と、熱源機４から供給される暖房温水により給水手段からの水を加熱するミスト用熱交換器８とを備え、暖房用熱交換器５とミスト用熱交換器８を暖房温水により加熱して温風と温水ミストを同時に浴室２内に供給する温水ミスト運転と、暖房用熱交換器５とミスト用熱交換器８の加熱を共に停止して涼風と水ミストを同時に浴室２内に供給する水ミスト運転とを選択できるようにしたミストサウナ機能付き浴室暖房乾燥機であって、前記ミスト用給水管路７の途中から分岐してミスト用給水管路７内に供給される水の一部を暖房用熱交換器５の外面に向かって噴霧するためのミスト噴霧口９ａと、このミスト噴霧口９ａを開閉する分岐開閉弁１０とを備え、前記水ミスト運転時に前記循環用ファン３を回すと共に分岐開閉弁１０を開いてミスト噴霧口９ａから暖房用熱交換器５への水ミスト噴霧とミストノズル６から浴室２内への水ミスト噴霧とを同時に行うことを特徴としている。
【００１２】
このような構成とすることで、温水ミスト運転終了後の水ミスト運転時に、分岐開閉弁１０を開くことでミスト用給水管路７内に供給される水の一部がミスト噴霧口９ａから暖房用熱交換器５に向けて噴霧される。このとき循環用ファン３が回っており、暖房用熱交換器５外面に噴霧された水が暖房用熱交換器５を直接冷やし、さらに水が気化するときの気化熱によって暖房用熱交換器５の熱が奪われて暖房用熱交換器５の温度が低下しやすくなる。またこのときミストノズル６とミスト噴霧口９ａの両方から同時に水が噴霧するので、ミストノズル６のみから水を噴霧させる場合と比べて、ミスト用給水管路７内を通過する水の量が増えて、水ミストの経路内部の残熱が短時間で奪われて水道水の温度まで下がりやすくなる。
【００１３】
また、前記ミスト噴霧口９ａは、ミスト用熱交換器８とミストノズル６との間のミスト用給水管路７から分岐したミスト分岐管９に設けられているのが好ましい。この場合、ミスト噴霧口９ａの分岐点をミストノズル６近くに寄せて配置することで、給水手段からの水がミスト用給水管路７内部及びミスト用熱交換器８内部をそれぞれ通過してから、ミストノズル６の手前近くでミスト噴霧口９ａへ分流されるようになる。従って、ミスト用給水管路７内部及びミスト用熱交換器８内部を通過する水量が増加してこれら内部の残熱が迅速に奪われて、浴室２内に噴霧される水ミストの低温化が早められる。
【００１４】
また、前記水ミスト運転時に、浴室２からの空気の吸い込み温度を監視して、吸い込み温度が所定温度よりも高い場合は分岐開閉弁１０を開き、所定温度よりも低い場合は分岐開閉弁１０を閉鎖するように分岐開閉弁１０を制御する制御部１１を備えるのが好ましい。この場合、吸い込み温度が低いときは、そのまま浴室２内へのミスト噴霧を実行しても涼感が得られるため、暖房用熱交換器５に対するミスト噴霧を行わなくても、入浴者が暖かく感じてしまうことはない。
【発明の効果】
【００１５】
本発明は、温水ミスト運転後の水ミスト運転時に、循環用ファンを回すと共に分岐開閉弁を開いてミスト噴霧口から暖房用熱交換器への水ミスト噴霧とミストノズルから浴室内への水ミスト噴霧とを同時に行うことにより、温水ミスト運転後の水ミスト運転であっても、浴室内の温度を迅速に低下させることができ、夏場のクールダウン効果や冷水ミストによる快適感アップ効果が迅速に得られるものである。
【図面の簡単な説明】
【００１６】
【図１】本発明のミストサウナ機能付き浴室暖房乾燥機の概略構成図である。
【図２】同上の浴室暖房乾燥機の設置状態の説明図である。
【図３】同上の制御部に関するブロック図である。
【図４】同上の水ミスト運転のフローチャートである。
【図５】従来の浴室暖房乾燥機の概略構成図である。
【発明を実施するための形態】
【００１７】
以下、本発明の実施の形態について、図面を参照しながら説明する。
【００１８】
本実施形態のミストサウナ機能付き浴室暖房乾燥機１は、図２に示すように、天井裏に配置してあり、吊り金具１２にて天井スラブ等に吊り支持してあると共に、その下面が天井の開口に臨ませて配置されている。図２中の１３は浴室２の外部に設置されるリモコン操作部であり、温水ミスト運転スイッチ、水ミスト運転スイッチ、暖房運転スイッチ、換気運転スイッチ、乾燥運転スイッチ、涼風運転スイッチ等が設けられている。
【００１９】
浴室暖房乾燥機１の機器ケーシング内には、図１に示すように、循環用ファン３、暖房用熱交換器５を備える暖房乾燥機本体２０と、後述するミスト噴霧ユニット２１が内装されている。
【００２０】
暖房用熱交換器５は、グリル板２２の吸込口２３に面して配置される水平熱交換器５ａと、水平熱交換器５ａの一端から上方に立ち上がる垂直熱交換器５ｂとがＬ字状に一体形成されている。垂直熱交換器５ｂの上端は上流連結管１６を介して、暖房用温水管１５の戻り部１５ａの上流側に接続され、水平熱交換器５ａの先端は下流連結管１７を介して、暖房用温水管１５の戻り部１５ａの下流側に接続されており、熱源機４から暖房用温水管１５内に供給される暖房温水を暖房用熱交換器５内部に通すことで、暖房用熱交換器５の外部を流れる空気が加熱され、温風を発生させる。上記上流連結管１６の途中には、暖房用熱交換器５への暖房温水の供給の開閉を行う熱動弁１８を設けてある。
【００２１】
循環用ファン３は、例えば、クロスフローファンもしくはシロッコファンからなる。循環用ファン３を回すと、浴室２内の空気が吸込口２３から通風経路内に吸い込まれ、暖房用熱交換器５により加熱されて温風となって吹出口２４から浴室２内に循環供給される。吸込口２３の近傍には、浴室２から吸い込まれる空気の吸い込み温度を検出する浴室温度サーミスタＴＨを配置してある。
【００２２】
上記浴室暖房乾燥機１の機器ケーシング内にはミスト噴霧ユニット２１が組み込んである。ミスト噴霧ユニット２１は、水道管などの給水手段からの水道水をミストノズル６に供給するためのミスト用給水管路７と、熱源機４から供給される暖房温水により給水手段からの水を加熱するミスト用熱交換器８と、浴室２内にミストサウナ用の水を噴霧するミストノズル６と、ミストノズル６とは別経路で暖房用熱交換器５に向かってミスト噴霧するためのミスト噴霧口９ａを有するミスト分岐管９とで構成されている。
【００２３】
ミストノズル６はグリル板２２の部分に配置してあり、ミスト用給水管路７をミストノズル６に連通させてある。ミストノズル６の手前には、電磁弁のようなノズル開閉弁２６を設けてあり、ノズル開閉弁２６の開閉にて浴室２内にミストが噴霧される。
【００２４】
ミスト用熱交換器８は、例えば、プレート式熱交換器などの液−液熱交換器であり、熱源機４（図２）からの一次側の暖房温水によりミスト用給水管路７を流れるミストサウナ用の水を加熱するものである。
【００２５】
ここで、本発明においては、上記ミスト用給水管路７のミスト用熱交換器８よりも下流位置、つまりミスト用熱交換器８の二次側出口とノズル開閉弁２６との間からミスト分岐管９を分岐してある。このミスト分岐管９は、電磁弁のような分岐開閉弁１０によって開閉されるものであり、先端側に設けたミスト噴霧口９ａが暖房用熱交換器５の上方、本例では水平熱交換器５ａの上方に臨んで配置されており、分岐開閉弁１０を開くことでミスト用給水管路７内を通過する水の一部がミスト噴霧口９ａを介して暖房用熱交換器５の外面に向かって噴霧されるようになっている。ここにおいて、暖房用熱交換器５に対する水の噴霧とは、吐出、噴出、噴射、放散等のように、水が霧状に微細噴射されることを広く意味する。また分岐開閉弁１０の開度を調整することで、ミスト噴霧口９ａからの水の噴霧量が調整可能とされる。
【００２６】
上記ミスト用給水管路７のミスト用熱交換器８よりも下流側で且つミスト分岐管９の分岐位置よりも上流側からは、ミスト用排水管路２９を分岐してあり、排水電磁弁２８を開くことでミスト用給水管路７内の水が浴室２内或いは浴室２外に排出可能とされる。
【００２７】
また暖房用熱交換器５のミスト噴霧口９ａから水ミストが噴霧される領域の下方には、暖房用熱交換器５からの滴下水を受けるドレンパン３０が設けられており、ドレンパン３０に溜められた水は、排水経路３１を介して上記ミスト用排水管路２９に排出可能とされる。
【００２８】
また本浴室暖房乾燥機１は、温水ミスト運転と水ミスト運転とを切り替え制御する制御部１１（図３）を備えている。
【００２９】
先ず、温水ミスト運転では、熱源機４からの暖房温水を暖房用熱交換器５とミスト用熱交換器８とにそれぞれ供給することで両熱交換器５,８をそれぞれ加熱し、さらに循環用ファン３を回して、温風と温水ミストとを同時に浴室２内に供給する。この温風と温水ミスト噴霧との相乗効果によって、浴室２内を快適なミストサウナ空間にすることができる。
【００３０】
一方、水ミスト運転の制御を図４のフローチャートに示す。温水ミスト運転終了後にリモコン操作部（図２）で水ミスト運転開始の指令（ステップＮ１）がされると、熱源機４をＯＦＦ、熱動弁１８、水比例弁２５、排水電磁弁２８をそれぞれ閉じて、暖房用熱交換器５とミスト用熱交換器８の加熱をそれぞれ停止し、循環用ファン３の回転を維持する水ミスト運転待機モード（ステップＮ２）となる。このとき、循環用ファン３が回り出した際、若しくは、少しのタイムラグの後で、浴室温度サーミスタＴＨにより浴室２からの空気の吸い込み温度を検出する。このときの検出温度がある一定温度よりも高い場合は、そのままでは涼感が得られにくいため、暖房用熱交換器５をミスト冷却するための第１の水ミスト運転モードを実行する（ステップＮ３→Ｎ４）。つまり、給水電磁弁２７、ノズル開閉弁、分岐開閉弁１０をそれぞれ開放して、ミスト用給水管路７に供給される水の一部をミスト噴霧口９ａから暖房用熱交換器５の外面側に噴霧して暖房用熱交換器５をミスト冷却する一方で、ミストノズル６からも浴室２内に水ミストを噴霧する。
【００３１】
これに対して、水ミスト運転待機モード時（ステップＮ２）において、浴室温度サーミスタＴＨにより検出される吸い込み温度がある一定温度よりも低い場合は、そのまま水ミスト運転をいっても問題がないため、分岐開閉弁１０を閉じた状態で、循環用ファン３の回転を維持する第２の水ミスト運転を実行する（ステップＮ３→Ｎ５）。つまり、浴室２内の温度が低いときは暖房用熱交換器５のミスト冷却を行わずに、ミストノズル６から浴室２内への水ミスト噴霧だけで十分に涼感が得られる。
【００３２】
上記構成によれば、温水ミスト運転終了後の水ミスト運転開始時に浴室２内の温度が高い場合は、分岐開閉弁１０を開くことでミスト用給水管路７内に供給される水の一部がミスト噴霧口９ａから暖房用熱交換器５に向けて噴霧される。このとき暖房用熱交換器５にミストを噴霧させながら循環用ファン３を回すことで、暖房用熱交換器５内部に残っている暖房温水が、噴霧されたミストで直接、冷却されると同時に、暖房用熱交換器５外面に噴霧されたミストが気化するときの気化熱によって、暖房用熱交換器５の温度が下がりやすくなる。またこのときミストノズル６とミスト噴霧口９ａの両方から同時に水が噴霧するので、ミストノズル６のみから水を噴霧させる場合と比べて、ミスト用給水管路７及びミスト用熱交換器８内を通過する水の量が増える。つまり全体としてミストの噴霧量が増えるので、水ミストの経路（ミスト用給水管路７、ミスト用熱交換器８）内部の残熱が短時間で奪われて、開始直後は暖かかったミストが迅速に水道水の温度まで下がりやすくなる。その後も、浴室２内から空気を吸い込んで浴室２内に再度吹き出す際に、暖房用熱交換器５からの気化熱で温度が下げられるために、涼感が得られるまでの時間が短縮される。しかも、水ミストをミストノズル６とミスト噴霧口９ａの両方から噴霧させることで、ミストと空気の熱交換の面積が広がり、ミストが気化しやすくなる。この結果、涼風と水ミスト噴霧の相乗効果によって、浴室２内の温度が低下するまでの待ち時間を短くでき、夏場のクールダウン効果や冷水ミストによる快適感アップ効果を迅速に得ることができる。
【００３３】
しかも、水ミスト運転開始時に、従来のように換気ファン（図示せず）を回して浴室２内の空気を排気する必要がないので、換気によるダクト５０（図２）内部での結露発生の問題が生じることはない。
【００３４】
また、水ミスト運転開始後に、浴室２内の温度が十分に下がれば、それ以降は、分岐開閉弁１０を閉じて暖房用熱交換器５へのミスト噴霧を停止することも可能である。つまり温度が低くなると、そのまま浴室２内へのミスト噴霧を実行しても涼感が得られるため、暖房用熱交換器５に対するミスト噴霧を行わなくても問題はない。
【００３５】
また本例ではミスト噴霧口９ａを有するミスト分岐管９が、ミスト用給水管路７のミスト用熱交換器８よりも下流位置から分岐しているので、ミスト噴霧口９ａの分岐点をミストノズル６近くに配置でき、これにより給水手段からの水がミスト用給水管路７内部及びミスト用熱交換器８内部をそれぞれ通過してから、ミストノズル６の手前近くでミスト噴霧口９ａへ分流されるようになる。従って、ミスト用給水管路７内部及びミスト用熱交換器８内部をそれぞれ通過する水量が増加して、これらの残熱除去が迅速に行われ、浴室２内に噴霧される水ミストの低温化が一層迅速になる利点がある。
【００３６】
さらに暖房用熱交換器５外面で気化されない余剰の水は、暖房用熱交換器５下方に配置したドレンパン３０で受けて排出されるので、水の垂れ落ちを防止できる利点もある。
【００３７】
なお、ドレンパン３０は必ずしも必要ではなく、例えば、分岐開閉弁１０によって、余剰の水が垂れ落ちないようにミスト噴霧口９ａからのミスト噴霧量を調整することが可能となり、この場合、ドレンパン３０は不要となる。
【００３８】
前記実施形態では、ミスト噴霧口９ａをミスト用給水管路７のミスト用熱交換器８よりも下流位置から分岐させたが、ミスト用熱交換器８よりも上流位置から分岐させてもよい。この場合、給水手段からの水道水を、ミスト用熱交換器８を通さずに、暖房用熱交換器５に噴霧可能となり、暖房用熱交換器５を水道水で迅速に冷却可能となる。
【００３９】
本発明のミストサウナ機能付き浴室暖房乾燥機１は、天井設置形に限らず、壁掛け形にも広く適用されるものである。
【符号の説明】
【００４０】
１  浴室暖房乾燥機
２  浴室
３  循環用ファン
４  熱源機
５  暖房用熱交換器
６  ミストノズル
７  ミスト用給水管路
８  ミスト用熱交換器
９  ミスト分岐管
９ａ  ミスト噴霧口
１０  分岐開閉弁
【図１】
0005457245.tif 000002
【図２】
0005457245.tif 000003
【図３】
0005457245.tif 000004
【図４】
0005457245.tif 000005
【図５】
0005457245.tif 000006